(57)【要約】【課題】  本発明は、エンジンを作動させた状態でも充分な換気が行え、かつ暗室を確保することができる換気機能を備えた開閉戸付車庫を提供することを目的とするものである。【解決手段】  本発明は、車両がシャッター３を介して出入り自在とされる開閉戸付車庫１において、車庫本体２内に入庫する車両のフロントガラスの前方より外光を遮断しながら外気を取り入れる吸気側通気口１０と、車庫本体２の開閉戸３側に排気ファン装置１５が設置される外光を遮断しながら車庫内の排気ガスを排気する排気側通気口１４が配置され、エンジンを作動させた状態で滞在ができ、かつ暗室が確保できる構成とするものである。【選択図】        図１
2005282291.tif 000002
【特許請求の範囲】
【請求項１】
車両が開閉戸を介して出入り自在とされる開閉戸付車庫において、
入庫する車両のフロントガラスより前方に外光を遮断しながら外気と連通状に設置される吸気側通気口と、
前記車両の後方に外光を遮断しながら外気と連通状に設置される排気側通気口と、
前記吸気側通気口または排気側通気口のいずれか一方に吸気又は排気ファンを備える
ことを特徴とする換気機能を備えた開閉戸付車庫。
【請求項２】
前記車庫内に乗車した状態で観賞することができる前後回転式の映写手段を設ける
ことを特徴とする請求項１に記載の排気機能を備えた開閉戸付車庫。
【請求項３】
前記車庫内にトイレ・シャワー室を設ける
ことを特徴とする請求項１または２に記載の排気機能を備えた開閉戸付車庫。
【請求項４】
前記開閉戸の内壁がスクリーン又は液晶パネルより構成される
ことを特徴とする請求項１、２、または３に記載の排気機能を備えた開閉戸付車庫。
【発明の詳細な説明】
【技術分野】
【０００１】
本発明は、換気機能を備えた開閉戸付車庫に関する。詳しくは車庫内でエンジンを付けた状態で長時間滞在することができる換気機能を備えた開閉戸付車庫に係るものである。
【背景技術】
【０００２】
従来より開閉戸付車庫は図９に示すように、車両が出入する車庫１０１の出入口１０２にシャッター１０３が設けられた構成とするものであり、通常は車庫１０１内に車両を納めた後に、直にエンジンを停止させて運転者は車外に出てシャッター１０３により出入口１０２を閉めるものであるために、一時的に車庫１０１内に排気ガスが充満しても何ら問題は無い。
【０００３】
しかし家屋に併設される車庫では一時的に車庫内に充満する排気ガスが屋内に流れこむために車庫に換気装置が設けられたものがあり、この種の車庫用換気装置として図１０に示すものがあり、ガス信号の時間的変化が任意の範囲内に一定時間以上入ったときにはセンサー異常手段からも運転信号を発生して、この運転信号の発生をうけてファンモーター１０４へ電力を供給する電力制御手段を設けることにより、排気ガスセンサー１０５で車庫の内部の排気ガスの発生を検知して換気扇を自動的に運転するとともに、排気ガスセンサー１０５が故障や目詰まりにより排気ガスの検知が行えなくなったときでもセンサー異常検知手段の判断により換気扇は自動的に運転されるために換気扇の排気機能は確保される構成とされる（例えば、特許文献１参照。）。
【０００４】
【特許文献１】特開平１０−１６０２１３号（要約書、第１図）
【発明の開示】
【発明が解決しようとする課題】
【０００５】
しかしながら前記構成の換気機構は、車庫内に一時的に充満した排気ガスを排気ガスセンサーによって検知して換気扇を自動的に作動させることで車庫内の換気を行うものであり、エンジンを作動させた状態で長時間駐車させる目的としたものではないために、換気システムの多くは車庫内の排気ガスを吸引して屋外へ排出するものであり、エンジンを作動させた状態では直に換気能力が低下して強制的にシャッターを開放するか又は内壁の一部を開放したままにしなければならない問題がある。
【０００６】
いっぽう、近年では自家用車の需要が増えるとともに、車両に乗ったままでの買い物や音楽鑑賞、ビデオ鑑賞、睡眠などの行動が多くなっている。
しかしビデオ鑑賞では車両に搭載される小型のモニターによるものであるために迫力不足となり暗室を得られないために鮮明な画像を見ることができない問題がある。
【０００７】
更に睡眠をする場合には暗室が必要となり、夜路上で停車しての睡眠では安全上での問題あり、又例えばシャッター付車庫を利用する場合ではエンジンを停止しないと換気扇を設けられたものであっても車内の冷暖房のために長時間エンジンを作動させる場合では十分に換気を行うことができず排気ガス中毒になる可能性がある。
【０００８】
また、換気扇が設けられる車庫にあっては、換気扇から太陽光が入り、シャッターを閉めても暗室を確保できない問題がある。
【０００９】
本発明では、以上の点に鑑みて創案されたものであって、エンジンを作動させた状態でも充分な換気が行え、かつ暗室を確保することができる換気機能を備えた開閉戸付車庫を提供することを目的とするものである。
【課題を解決するための手段】
【００１０】
上記の目的を達成するために、本発明に係る換気機能を備えた開閉戸付車庫は、車両が開閉戸を介して出入り自在とされる開閉戸付車庫において、入庫する車両のフロントガラスより前方に外光を遮断しながら外気と連通状に設置される吸気側通気口と、前記車両の後方に外光を遮断しながら外気と連通状に設置される排気側通気口と、前記吸気側通気口または排気側通気口のいずれか一方に吸気又は排気ファンを備える。
【００１１】
ここで、入庫する車両の前後側の車庫壁面に外光を遮断しながら外気と連通状とした通気口のいずれか一方に換気ファンを設けることにより、車庫内の空気流は車両のフロント側よりリア側への空気流、所謂プッシュ・プル方式による空気流によってエンジンを作動させた状態での車庫内に放出される排気ガスの排気が行われる。更に外光を遮断しながら排気ガスの排気を行うことにより車庫内が暗室の状態で保持されることとなり、運転者や同乗者は車両に乗った状態で車両に搭載されるエアコンによって温度調整を行いながらの睡眠などが可能となる。
【００１２】
また、車庫内にテレビ、ビデオなどを観賞することができるディスプレイ表示手段を設けることにより、車両に乗った状態でテレビやビデオ鑑賞を楽しめることが可能となる。
【００１３】
また、車庫内にトイレ・シャワーを設けることにより、車庫外へ出ることなく、長時間の滞在や睡眠、あるいは海水浴後のシャワーなどプライベイトの時間を過ごせることが可能となる。
【００１４】
また、車両の排気筒の近傍となる開閉戸位置に外光を遮断しながら車庫内の排気ガスを排気する換気装置を設けることにより効率の良い排気ガスの換気を行うことが可能となる。
【発明の効果】
【００１５】
本発明では、開閉戸付車庫内において車両前方から外気を取り込み、車両後方から排気するプッシュ・プル換気方式であるために、車庫内でエンジンを作動させた状態であっても長期滞在が可能となり、かつ遮光された状態（暗室）で換気を行うために車庫内で安眠やビデオ鑑賞などが楽しめる。
【００１６】
また、トイレ・シャワーを車庫内に設けることによって車両を利用しての寝泊まり、あるいはビデオ鑑賞等による長時間の滞在が可能となる。
【発明を実施するための最良の形態】
【００１７】
以下本発明の実施の形態を図面を参酌しながら説明し、本発明の理解に供する。
【００１８】
図１に、本発明を適用した換気機能を備えた開閉戸付車庫の一例を説明するための平面断面説明図、図２に図１における側面断面説明図である。
【００１９】
ここで示すシャッター付車庫１は、車両Ａが充分に収納できる収納空間が確保される奥行き、間口および高さを有する車庫本体２の出入口に上下開閉式のシャッター３が設けられた構成とするものである。
【００２０】
そして車庫本体２内の前面壁４の手前側に仕切り壁５を設け、この前面壁４と仕切り壁５との間にトイレ・シャワー室６が設置される。更に仕切り壁５にはアコーディオンカーテンなどによる出入り口７を設ける。
【００２１】
そこで車庫本体２に入庫する車両Ａのフロントガラスより前方位置の仕切り壁５には、吹出口８が設けられ、この吹出口８は仕切り壁５裏面から前面壁４上部に沿って設けられる吸気ダクト９によって吸気側通気口１０と連通状に設置されている。
【００２２】
したがって車庫本体２内に負圧が生じた場合には、吸気側通気口１０より外気が吸引され吸気ダクト９を通して吹出口８より外気が吹き出されると共に、仕切り壁５と吸気ダクト９が直角状に屈曲形成されるために車庫本体２内への外光が遮断されるものである。
【００２３】
次に、車庫本体２内のシャッター３両側のコーナーを遮蔽板１１によって覆うことによりコーナーと遮蔽板１１との間に断面三角形状の排気ダクト１２が形成される。この排気ダクト１２の下部には排気口１３が開口され、排気ダクト１２の上部には排気側通気口１４が設けられるものである。
【００２４】
そこで排気側通気口１４には換気ファン装置１５が設置され、排気口１３から吸い込まれた排気ガスは排気ファン装置１５によって外気に排出される。
また、車庫本体２の入り口１６の天井面１７には、換気ファン装置１５からの入光を遮るための遮光板１８を排気ファン装置１５と連通状となるように設置するものである。
【００２５】
したがって、排気口１３は車両Ａの後部の左右いずれかに設けられる排気筒の近傍に位置することになり、車両Ａの排気筒から排出される排気ガスを効率よく排気口１３より吸引することができる。
【００２６】
次に、車庫本体２内に設置される映写手段としては、仕切り壁５面にスクリーン１９を配置し、天井面１７に配置されるプロジェクター２０によってスクリーン１９上にビデオやＤＶＤを車両の入庫状況に合わせプロジェクター２０が回転し映像を映し出す、音声は車両に搭載されるカーラジオのＦＭ受信機能を使用し乗車したままでの映画鑑賞が行える構成とするものである。
【００２７】
また、パソコンインターネットでブローバンド放送やテレビチューナーによる地上・衛星放送をプロジェクターで映し出すことも可能となる。
【００２８】
なお、映写手段としては必ずしもプロジェクターとスクリーンとの組み合わせにより構成される必要性は無く、例えば液晶型のディスプレイを仕切り壁面に配置し、ビデオやＤＶＤデッキによりディスプレイに映し出す構成やパソコンインターネットでブローバンド放送やテレビチューナーによる地上・衛星放送を映し出す構成でも良い。
更に、スクリーン又は液晶パネルは必ずしも仕切り壁面に設ける必要性は無く、車両がバックで入庫する場合には開閉戸の内壁面に設けるものであっても構わない。
【００２９】
また、吸気側通気口、あるいは排気側通気口は必ずしも本実施例で詳述した構成である必要性は無く、車庫本体内への入光を遮断し、かつ外気との通気が行える構成のものであればどのような機構のものであっても構わない。
【００３０】
次に図３に、本発明を適用した換気機能を備えた開閉戸付車庫の他の例を説明するための平面断面説明図、図２に図１における側面断面説明図である。
【００３１】
ここで示すシャッター付車庫１は、車両Ａが充分に収納できる収納空間が確保される奥行き、間口および高さを有する車庫本体２の出入口に上下開閉式のシャッター３が設けられた構成とするものである。
【００３２】
そして車庫本体２内の前面壁４の手前側に仕切り壁５を設け、この前面壁４と仕切り壁５との間にトイレ・シャワー室６が設置される。更に仕切り壁５にはアコーディオンカーテンなどによる出入り口７を設ける。
【００３３】
そこで車庫本体２に入庫する車両Ａのフロントガラスより前方位置の仕切り壁５には、吹出口８が設けられ、この吹出口８は仕切り壁５裏面から前面壁４上部に沿って設けられる吸気ダクト９によって吸気側通気口１０と連通状に設置され、更に吸気側通気口１０には吸気ファン装置２２が設けられる。
【００３４】
したがって、吸気ファン装置２２によって吸気側通気口１０より外気が強制的に吸引され吸気ダクト９を通して吹出口８より外気が吹き出されると共に、仕切り壁５と吸気ダクト９が直角状に屈曲形成されるために車庫本体２内への外光が遮断されるものである。
【００３５】
また、車庫本体２内のシャッター３両側のコーナーを遮蔽板１１によって覆うことによりコーナーと遮蔽板１１との間に断面三角形状の排気ダクト１２が形成される。この排気ダクト１２の下部には排気口１３が開口され、排気ダクト１２の上部には排気側通気口１４が設けられるものである。
【００３６】
なお、車庫本体２内に設置される映写手段としては前記本発明を適用した換気機能を備えた開閉戸付車庫の一例において詳述したとおりである。
また、排気口にフレキシブルなホースを連通状に取り付け、車庫本体内に入庫した車両の排気筒の近傍までホースを持ってくる、あるいは直接につなぐことによって排気ガスを車庫本体外へ排気する機構とすることも考えられる。
【００３７】
また、図５に示すのは車庫本体２のシャッター３に排気ファン装置１５を設けるものであり、シャッター３の下部の車両の排気筒近傍となる位置に遮光機能を備えた排気ファン装置１５を設けることで、排気筒から排出される排気ガスが排気ファン装置１５によって直接的に車庫本体２外へ排気されることになる。
【００３８】
なお、シャッター全面に遮光機能を備えた排気側通気口とし、車庫本体内の排気ガスの換気を行う構成であっても構わない。
また、図６に示すように、車庫本体２の入り口１６側に、上方に持ち上げることによって車庫本体２の天井側へ収納することができる板状開閉戸２１を設け、この板状開閉戸２１の開閉を機械的に行う構成とすることもできる。
なお車庫本体の入り口に設けられる開閉戸は、上下方式の他に観音開き式など種々の機構のものが考えられる。
【００３９】
以上の構成よりなる本発明を適用した換気機能を備えたシャッター付車庫を有料により使用する形態とする場合には、図７に示すように車庫本体２内に入庫して乗車したままで携帯電話通信やタッチパネルにより暗証番号（プリカ方式）登録を行い、ネットワーク（インターネット）通信でシャッター３を閉じて利用する。
【００４０】
入庫した後にシャッター３が自動的に閉まり、図７では排気側通気口１４の排気ファン装置１５が作動する。従ってエンジンがかかった状態の車両Ａの排気筒から排気される排気ガスは図中矢印で示すように排気ファン装置１５によって排気口１３より車庫本体２外へ強制的に排気されると共に、車庫本体２内に負圧が生じ、吸気側通気口１０より外気が吸引されて車両Ａのフロントガラスの前方に位置する吹出口８より常時一定圧の外気が流れ込み、車両Ａが路上を走行している如き状態となる。
【００４１】
したがって、車両Ａに乗車した状態でエアコンを作動させた場合には、常に新鮮な外気が車内に取り込まれて快適な車内環境を長時間確保することが可能となると共に、排気口１３から漏れ、天井面１７に漂う排気ガスも遮光板１８と天井面１７との間を通して屋外に排気されことになる。
【００４２】
また、図８に示すように、吸気ファン装置２２によって外気が吸気側通気口１０より強制的に吸引されて車両Ａのフロントガラスの前方に位置する吹出口８より常時一定圧の外気が吹出され、車両Ａが路上を走行している如き状態となる。
【００４３】
したがって、車両Ａに乗車した状態でエアコンを作動させた場合には、常に新鮮な外気が車内に取り込まれて快適な車内環境を長時間確保することが可能となると共に、車庫本体２内には車両Ａのフロント側より排気筒側への空気流が生じ、排気口１３から排気ダクト１２を通して排気側通気口１４および天井面１７に漂う排気ガスも遮光板１８と天井面１７との間を通して排気側通気口１４より屋外に排気されことになる。
【００４４】
このようにして車庫本体２内は暗室の状態が確保されるために、寝泊りなどによる睡眠をする場合には、車両の冷暖房装置を使用して快適な安眠が可能となる。
また、ビデオ、ＤＶＤ鑑賞も乗車した状態で行うことができ、かつ車庫内においてトイレやシャワーを使用することができるために泊りなど長時間の滞在にも充分に対応することが可能となる。
【００４５】
また、車両が車庫より出た後には、車庫本体の両側面内側に複数の穴の開いたパイプ（図示せず。）より水を噴射させて車庫内を洗浄し、流れた水が排水溝を流れて車庫外部へ排水させる構成とする。
【００４６】
なお、吸気ファン装置および排気ファン装置並びに換気装置が何かの原因で作動しなくなった場合にはシャッターが非常電源で作動して強制的に開く構成とすることが望ましい。
その具体的な危険回避方法としては、吸気ファン装置および排気ファン装置並びに換気装置の電流の監視、煙感知器の設置などにより異常が出たらシャッターが強制的に開く構成とする。
【００４７】
また、車両が入庫する際にはフロントから入る場合と、バックで入る場合とが考えられる。このような場合には、車両のフロントガラスの前方が車庫本体の開閉戸側となり車両の排気筒側が仕切り壁側となり、本実施例で詳述した吸気側通気口および排気側通気口が逆となり、これに伴い換気ファン装置のファンを正，逆駆動回転できる機構とすることによって、入り口開閉戸側より外気を取り入れて、車庫前方より排気ガスを排出できる構成となる。
【図面の簡単な説明】
【００４８】
【図１】本発明を適用した換気機能を備えた開閉戸付車庫の一例を説明するための平面断面説明図である。
【図２】図１における側面断面説明図である。
【図３】本発明を適用した換気機能を備えた開閉戸付車庫の他の例を説明するための平面断面説明図である。
【図４】図３における側面断面説明図である。
【図５】本発明を適用した換気機能を備えた開閉戸付車庫においてシャッターに換気ファン装置を設けた説明図である。
【図６】本発明を適用した換気機能を備えた開閉戸付車庫における開閉戸の他の例を示す説明図である。
【図７】本発明を適用した換気機能を備えた開閉戸付車庫の一例の作用状態を示す側面断面説明図である。
【図８】本発明を適用した換気機能を備えた開閉戸付車庫の他の例の作用状態を示す側面断面説明図である。
【図９】従来のシャッター付車庫の一例を示す説明図である。
【図１０】従来の車庫用換気装置の一例を示す説明図である。
【符号の説明】
【００４９】
１      シャッター付車庫
２      車庫本体
３      シャッター
４      全面壁
５      仕切り壁
６      トイレ・シャワー室
７      出入り口
８      吹出口
９      吸気ダクト
１０    吸気側通気口
１１    遮蔽板
１２    排気ダクト
１３    排気口
１４    排気側通気口
１５    排気ファン装置
１６    入り口
１７    天井面
１８    遮光板
１９    スクリーン
２０    プリジェクト
２１    板状開閉戸
２２    吸気ファン装置
【図１】
2005282291.tif 000003
【図２】
2005282291.tif 000004
【図３】
2005282291.tif 000005
【図４】
2005282291.tif 000006
【図５】
2005282291.tif 000007
【図６】
2005282291.tif 000008
【図７】
2005282291.tif 000009
【図８】
2005282291.tif 000010
【図９】
2005282291.tif 000011
【図１０】
2005282291.tif 000012